【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
体内腔における使用に適したデバイスであって、
-  遠位端および近位端を有する細長くされた制御部材と、前記遠位端にまたは前記遠位端の近くに配置される、半径方向拡張可能部材とを備え、
-  前記半径方向拡張可能部材は、近位端および遠位端を有し、収縮される配向と拡張される配向との間で調節可能であり、前記体内腔の壁からの物質のせん断に適合され、
-  前記細長くされた制御部材は、一方のアームの他方のアームに対する移動が前記半径方向拡張可能部材の直径および／または半径方向強度の調節をもたらす、前記半径方向拡張可能部材に作動的に連結する近位アームと、前記近位アームの連結の遠位で前記半径方向拡張可能部材に作動的に連結された遠位アームであって、
-  前記デバイスは、両方のアームに作動的に連結され、かつ一方のアームの他方のアームに対する移動に対する抵抗を提供するように適合された、制御機構をさらに備え、前記制御機構は、前記アームの一方に連結された第１の部分と、前記第１の部分に対して移動可能な前記アームの他方に連結された第２の部分と、前記第１の部分の前記第２の部分に対する移動に抵抗するための力制御抵抗手段とを備えるデバイスにおいて、
前記力制御抵抗手段は、（ａ）前記半径方向拡張可能部材を前記拡張される配向に付勢するための付勢手段、および／または（ｂ）前記第１の部分の前記第２の部分の一方が、前記第１の部分の前記第２の部分の他方に対して移動に抵抗する制動手段が用いられ、前記制動手段は移動に対する抵抗のレベルを調整可能であることを特徴とするデバイス。
【請求項２】
前記遠位アームは管状であることを特徴とする請求項１に記載のデバイス。
【請求項３】
前記力制御抵抗手段は、（ａ）前記半径方向拡張可能部材を前記拡張される配向に付勢するための付勢手段と、（ｂ）前記第１の部分および前記第２の部分の一方の、前記第１の部分および前記第２の部分の他方に対する、移動に抵抗するように適合された制動手段とを備えることを特徴とする請求項１に記載のデバイス。
【請求項４】
前記付勢手段は、弾性的に変形可能または変位可能な部材を備えることを特徴とする請求項１乃至３のいずれか一項に記載のデバイス。
【請求項５】
弾性的に変形可能な部材は、ばねを含むことを特徴とする請求項１乃至４のいずれか一項に記載のデバイス。
【請求項６】
前記弾性的に変形可能な部材は、前記第１の部分と前記第２の部分との間に配置され、前記第１の部分および前記第２の部分の互いの移動に対する力制御抵抗を提供するように構成されたことを特徴とする請求項４または５に記載のデバイス。
【請求項７】
前記制動手段は、摩擦ねじを含むことを特徴とする請求項１乃至６のいずれか一項に記載のデバイス。
【請求項８】
前記制御機構は、前記半径方向拡張可能部材の近位、遠位、または内部に配置されることを特徴とする請求項１乃至７のいずれか一項に記載のデバイス。
【請求項９】
前記制御機構は、使用中にそれが身体の外部に位置付けられるように、前記半径方向拡張可能部材の近位に配置され、前記第１の部分は、案内路を備え、前記近位アームに作動可能に連結され、そして、前記第２の部分は、前記遠位アームに作動可能に連結され、前記案内路に沿った移動のために前記第１の部分に関連付けられ、前記力制御抵抗手段は、前記案内路に沿って配置された弾性的に変形可能な部材を備えることを特徴とする請求項８に記載のデバイス。
【請求項１０】
前記第１の部分は、前記弾性的に変形可能な部材の長さを変化させるように移動可能である移動可能ストッパを備えることを特徴とする請求項９に記載のデバイス。
【請求項１１】
前記制動手段は、前記遠位アームまたは前記近位アームの一方に作動可能に連結され、かつ前記遠位アームまたは前記近位アームの他方に対する調節可能な係合をするように構成された、摩擦ねじを備えることを特徴とする請求項１０に記載のデバイス。
【請求項１２】
前記制動手段は、前記近位アームに作動可能に連結され、かつ前記遠位アームに対する調節可能な係合をするように構成された、摩擦ねじを備えることを特徴とする請求項１１に記載のデバイス。
【請求項１３】
前記制御機構は、前記半径方向拡張可能部材内に配置され、前記遠位アームに連結された第１の部分と、前記近位アームに連結された第２の部分と、前記第１の部分および前記第２の部分に作動的に連結され、前記第１の部分および前記第２の部分の互いの移動に対する力制御抵抗を提供するように構成された、つる巻きばねとを備えることを特徴とする請求項８に記載のデバイス。
【請求項１４】
半径方向拡張可能部材は、ケージを含み、および／または、
前記ケージは、前記ケージ内への血栓の受入れのための開口を有する近位部位と、血栓を捕獲するための細かいメッシュを有する遠位部位とを備え、前記ケージは、任意選択で編んだワイヤを備え、および／または、
前記ケージは、前記ケージ内への血栓の受入れのための開口を有する遠位部位と、血栓を捕獲するための細かいメッシュを有する近位部位とを備え、前記ケージは、任意選択で編んだワイヤを備え、および／または、
摘出器を備え、前記摘出器の少なくとも部分は、前記半径方向拡張可能部材内に配置され、および／または、
前記摘出器は、回転するように適合されたらせん形状を備え、および／または、
前記らせん形状は、回転して、（ａ）前記半径方向拡張可能部材から血栓を除去する、および／または（ｂ）体内腔に薬剤を送達するように適合され、および／または、
前記らせん形状は、使用中にそれが固体血栓から血液を絞り出すように、ピッチが短くなり、および／または、
前記らせん形状は、摘出器チューブ内に配置され、前記半径方向拡張可能部材内の前記らせん形状の１または複数の部位は露出され、および／または、
前記摘出器チューブは、前記摘出器チューブから血液が出て行くことを可能にするための孔を備え、および／または、
前記摘出器チューブの前縁は、切刃を備え、および／または、
前記らせん形状は、切刃を備え、および／または、
前記摘出器は、吸入チューブであり、および／または、
デバイスは、前記半径方向拡張可能部材内に配置された回転切刃を備え、および／または、
力制御抵抗手段は、自己調整をし、および／または、
近位アームは、内腔を備え、遠位アームは、第１のアームの前記内腔内に少なくとも部分的に配置され、前記第１のアームと同軸に配置され、および／または、
管状シースを備え、細長くされた制御部材は、前記管状シース内に収容され、および／または、
前記管状シースは、前記半径方向拡張可能部材を覆うように、および収縮される配向に前記半径方向拡張可能部材を維持するように調節され、および／または、
前記管状シースは、液体の灌流のための複数の孔を備え、および／または、
液体を体内に送達するように構成された液体投与内腔を備え、および／または、
前記液体投与内腔は、前記遠位アーム内、前記遠位アームと前記近位アームとの間、または前記近位アームと外部シースとの間、または、それらの組合わせで形成された前記内腔を含み、および／または、
前記液体投与内腔内への液体の送達のための注入ポートを備え、および／または、
前記ケージは、単一のストラット、２つのストラット、または複数のストラットを備え、および／または、
前記半径方向拡張可能部材は、前縁を備え、および／または、
大きいおよび／または先細り血管から血栓を除去するのに適した血栓除去デバイスであることを特徴とするデバイス。